【事件の表示】
　特許第３３３７９８２号に関する訂正審判事件について、次のとおり審決する。
【結　論】
　特許第３３３７９８２号に係る明細書を本件審判請求書に添付された訂正明細書のとおり訂正することを認める。
【理　由】
１．手続の経緯
　本件特許第３３３７９８２号に係る手続の経緯は以下のとおりである。
平成１０年　６月３０日　本件出願
平成１４年　８月　９日　特許権設定登録（請求項２０項）
平成１５年　４月２８日　特許異議の申立て（異議２００３−７１０６４、　　　　　　　　　　　　請求項１〜３、１２、１３につき異議申立て）
平成１５年１０月１７日　特許異議の決定（請求項１〜３、１２、１３に係　　　　　　　　　　　　る特許を取り消す）
平成１７年　７月　４日　本件訂正審判請求
　
２．訂正の内容
　本件審判の請求の要旨は、特許第３３３７９８２号発明の明細書及び図面を、審判請求書に添付した訂正明細書のとおり、すなわち下記のとおり訂正することを求めるものである。
（ａ）特許請求の範囲を、
「【請求項１】一対の基板間に液晶を挟持し、複数の画素を有する液晶素子と、該液晶素子の駆動回路を有する液晶表示装置であって、
　任意の画素において、１フレーム期間を連続する第１の期間と第２の期間に分割し、上記第１の期間において第１の輝度を表示し、上記第２の期間においては上記第１の輝度以下の第２の輝度を表示し、１フレーム期間をＦｒ、上記第１の期間と１フレーム期間との比を時間開口率Ｔａｐ、最大輝度を１００％、最小輝度を０％とした時に、１００％表示状態から０％表示する際に輝度が１００％から１０％に減衰する期間をτｏｆｆとした時に、
　　Ｔａｐ＋τｏｆｆ／１．５Ｆｒ＝Ｔｓ≦０．６５
となるように設定し、
　上記第１の期間において、液晶層を画像情報に対応した透過率状態として第１の輝度を表示し、第２の期間において、液晶層を第１の透過率以下の透過率状態とすることにより第２の輝度を表示し、該液晶層の最大透過率を１００％、最小透過率を０％とした時に、上記τｏｆｆが１００％透過率状態から０％透過率に転移する際に透過率が１００％から１０％に減衰する期間であり、
　上記Ｔｓと表示単位画素の横方向の長さＳｚ（ｍ）との関係が、
　　Ｔｓ×Ｓｚ／（３００×１０−６）≦０．６５
である液晶表示装置。
【請求項２】一対の基板間に液晶を挟持し、複数の画素を有する液晶素子と、該液晶素子の駆動回路を有する液晶表示装置であって、
　任意の画素において、１フレーム期間を連続する第１の期間と第２の期間に分割し、上記第１の期間において第１の輝度を表示し、上記第２の期間においては上記第１の輝度以下の第２の輝度を表示し、１フレーム期間をＦｒ、上記第１の期間と１フレーム期間との比を時間開口率Ｔａｐ、最大輝度を１００％、最小輝度を０％とした時に、１００％表示状態から０％表示する際に輝度が１００％から１０％に減衰する期間をτｏｆｆとした時に、
　　Ｔａｐ＋τｏｆｆ／１．５Ｆｒ＝Ｔｓ≦０．６５
となるように設定し、
　上記第１の期間において、液晶層を画像情報に対応した透過率状態として第１の輝度を表示し、第２の期間において、液晶層を第１の透過率以下の透過率状態とすることにより第２の輝度を表示し、該液晶層の最大透過率を１００％、最小透過率を０％とした時に、上記τｏｆｆが１００％透過率状態から０％透過率に転移する際に透過率が１００％から１０％に減衰する期間であり、
　上記Ｔｓと輝度Ｂｒ（ｃｄ／ｍ２）の関係が、
　　Ｔｓ×ｌｏｇ（Ｂｒ）≦１．４
である液晶表示装置。
【請求項３】一対の基板間に液晶を挟持し、複数の画素を有する液晶素子と、該液晶素子の駆動回路を有する液晶表示装置であって、
　任意の画素において、１フレーム期間を連続する第１の期間と第２の期間に分割し、上記第１の期間において第１の輝度を表示し、上記第２の期間においては上記第１の輝度以下の第２の輝度を表示し、１フレーム期間をＦｒ、上記第１の期間と１フレーム期間との比を時間開口率Ｔａｐ、最大輝度を１００％、最小輝度を０％とした時に、１００％表示状態から０％表示する際に輝度が１００％から１０％に減衰する期間をτｏｆｆとした時に、
　　Ｔａｐ＋τｏｆｆ／１．５Ｆｒ＝Ｔｓ≦０．６５
となるように設定し、
　上記第１の期間において、液晶層を画像情報に対応した透過率状態として第１の輝度を表示し、第２の期間において、液晶層を第１の透過率以下の透過率状態とすることにより第２の輝度を表示し、該液晶層の最大透過率を１００％、最小透過率を０％とした時に、上記τｏｆｆが１００％透過率状態から０％透過率に転移する際に透過率が１００％から１０％に減衰する期間であり、
　上記ＴｓとコントラストＣｒとの関係が、
　　Ｔｓ×ｌｏｇ（Ｃｒ）≦１．３
である液晶表示装置。」
と訂正する。
（ｂ）明細書の段落【０００８】の記載を、
「本発明は、一対の基板間に液晶を挟持し、複数の画素を有する液晶素子と、該液晶素子の駆動回路を有する液晶表示装置であって、
　任意の画素において、１フレーム期間を連続する第１の期間と第２の期間に分割し、上記第１の期間において第１の輝度を表示し、上記第２の期間においては上記第１の輝度以下の第２の輝度を表示し、１フレーム期間をＦｒ、上記第１の期間と１フレーム期間との比を時間開口率Ｔａｐ、最大輝度を１００％、最小輝度を０％とした時に、１００％表示状態から０％表示する際に輝度が１００％から１０％に減衰する期間をτｏｆｆとした時に、
　　Ｔａｐ＋τｏｆｆ／１．５Ｆｒ＝Ｔｓ≦０．６５
となるように設定し、
　上記第１の期間において、液晶層を画像情報に対応した透過率状態として第１の輝度を表示し、第２の期間において、液晶層を第１の透過率以下の透過率状態とすることにより第２の輝度を表示し、該液晶層の最大透過率を１００％、最小透過率を０％とした時に、上記τｏｆｆが１００％透過率状態から０％透過率に転移する際に透過率が１００％から１０％に減衰する期間である液晶表示装置である。」
と訂正する。
　
３．訂正の目的の適否、新規事項の有無及び拡張・変更の存否
（１）訂正事項ａについて
 　請求項１〜３に係る訂正事項ａの訂正は、請求項４ないし請求項６の記載内容を、項番を繰り上げるとともに独立形式にし、さらに、請求項７〜１１及び請求項１４〜２０を削除したもので、前者は明りょうでない記載の釈明を目的とするものであるとともに及び後者については特許請求の範囲の減縮を目的としたものである。 
　そして上記訂正事項は、願書に添付した明細書及び図面に記載した事項の範囲内の訂正であり、実質上特許請求の範囲を拡張又は変更するものではないから、特許法第１２６条第３項及び第４項の規定に適合するものである。
（２）訂正事項ｂについて 
　上記訂正事項ｂは、特許請求の範囲に係る上記訂正事項ａを受けて、明細書の発明の詳細な説明の記載をこれと整合をとるように訂正したもので、特許法第１２６条ただし書き第３号の明りょうでない記載の釈明を目的としたものである。
　そして上記訂正事項は、願書に添付した明細書及び図面に記載した事項の範囲内の訂正であり、実質上特許請求の範囲を拡張又は変更するものではないから、特許法第１２６条第３項及び第４項の規定に適合するものである。
　
　なお、請求項７〜１１及び請求項１４〜２０を削除した点については、特許請求の範囲の減縮を目的とするものではあるが、それにより特許請求の範囲に記載されている事項により特定される発明がなくなったことから、独立特許要件を判断する必要を認めない。
（因みに、異議２００３−７１０６４において、訂正後の請求項１〜３の技術的事項について異議申し立てはなされていない。）
　
４．むすび
　したがって、本件審判請求に係る訂正は、特許法第１２６条第１項及び第３、４項の規定に適合するので、当該訂正を認める。
　よって、結論のとおり審決する。